(57)【要約】【課題】  基板ケースにおける回動する部分を小型化する。【解決手段】  基板ケース１００をケースホルダ２００の前面に取り付けるための遊技機用基板ケースの取り付け構造において、基板ケース１００を、ケースホルダ２００に固定される固定ケース１１０と、基板収容部を有し、ケースホルダ２００に保持される保持位置から前方回動させることができる状態で固定ケース１１０に軸支された回動ケース１３０とで構成し、固定ケース１１０をケースホルダ２００から取り外さなければ、ケースホルダ２００から回動ケース１３０を取り外すことができない状態とするとともに、固定ケース１１０をケースホルダ２００から取り外そうとした際に痕跡が発生する痕跡発生手段を、固定ケース１１０に設けた。【選択図】  図１０
2018175758.tif 000002
【特許請求の範囲】
【請求項１】
制御基板を収容するための基板収容部を有する基板ケースを、遊技機筺体に取り付けられたケースホルダの前面に取り付けるための遊技機用基板ケースの取り付け構造であって、
基板ケースが、
ケースホルダに固定される固定ケースと、
基板収容部を有し、ケースホルダに保持される保持位置から保持位置よりも前方回動した展開位置になるまで回動させることができる状態で固定ケースに軸支される回動ケースと、
で構成され、
固定ケースをケースホルダから取り外さなければ、ケースホルダから回動ケースを取り外すことができない状態とされ、
固定ケースをケースホルダから取り外そうとした際に痕跡が発生する痕跡発生手段が、固定ケースに設けられた
ことを特徴とする遊技機用基板ケースの取り付け構造。
【請求項２】
痕跡発生手段が、ケースホルダと固定ケースとを固定する固定部材による固定箇所を封印するための封印部材とされた請求項１記載の遊技機用基板ケースの取り付け構造。
【請求項３】
互いに係合可能な第一係合部及び第一被係合部のうち、一方がケースホルダに設けられて、他方が、固定ケースに設けられ、
痕跡発生手段が、第一係合部及び第一被係合部とされた
請求項１又は２記載の遊技機用基板ケースの取り付け構造。
【請求項４】
保持位置にある回動ケースの前面側を係止して、回動ケースが保持位置から前方回動しないようにするための保持位置用係止部が、固定ケースの前面側に設けられた
請求項１〜３いずれか１つに記載の遊技機用基板ケースの取り付け構造。
【請求項５】
保持位置用係止部が、固定ケースの本体部に対して分離可能に形成された分離可能部に設けられ、
回動ケースが、
回動ケースの後面側を形成するベース部材と、
回動ケースの前面側を形成するカバー部材と、
で構成され、
固定ケースの本体部から分離した分離可能部を、ベース部材に対してカバー部材を係合させるための第二係合部及び第二被係合部のうちいずれか一方として利用できるようにした
請求項４記載の遊技機用基板ケースの取り付け構造。
【請求項６】
固定ケースに対して回動ケースを軸支するための軸支機構が、
回動ケースに設けられた支軸部と、
固定ケースに設けられた、前記支軸部を支持するための軸受部と、
によって構成された
請求項１〜５いずれか１つに記載の遊技機用基板ケースの取り付け構造。
【請求項７】
互いに当接することにより、前記支軸部を前記軸受部から引き抜く方向に回動ケースをスライドできない状態に回動ケースのスライドを規制するためのスライド規制用当接部及びスライド規制用被当接部のうち、一方がケースホルダに設けられて、他方が、回動ケースに設けられた
請求項６記載の遊技機用基板ケースの取り付け構造。
【請求項８】
回動ケースの支軸部の外周部及び固定ケースの軸受部の内周部のうち、いずれか一方に回動規制用凸部が設けられて、他方に回動規制用凹部が設けられ、
回動ケースを保持位置から展開位置に移動する際に、回動規制用凹部に嵌合された回動規制用凸部が、回動規制用凹部における一側から他側へ移動するようにするとともに、
回動ケースが展開位置に達すると、回動規制用凸部が回動規制用凹部の端部に当接することにより、回動ケースのそれ以上の回動が規制されるようにした
請求項６又は７記載の遊技機用基板ケースの取り付け構造。
【請求項９】
請求項１〜８いずれか１つに記載の遊技機用基板ケースの取り付け構造を用いて、基板ケースを遊技機筺体に取り付けた遊技機。
【発明の詳細な説明】
【技術分野】
【０００１】
本発明は、制御基板を収容した基板ケースを遊技機筺体に取り付けるための遊技機用基板ケースの取り付け構造と、これを用いた遊技機とに関する。
【背景技術】
【０００２】
回胴式遊技機やパチンコ遊技機等の遊技機の筺体（遊技機筺体）には、メイン制御基板やサブ制御基板等の各種の制御基板が収容されている。これらの制御基板や、それに取り付けられたＲＯＭ等が偽造品へ交換されてしまうと、例えば、遊技機に特定の操作を行うことで一般の遊技者（当該特定の操作を知らない遊技者）よりも有利な条件で遊技が進行するように遊技機を改造することが可能になる等、悪意のある遊技者（当該特定の操作を知っている遊技者）に不正遊技を許す虞がある。このため、遊技機の各メーカーは、メイン制御基板を始めとする各種の制御基板をケース（基板ケース）の内部に収容して、その制御基板に不正アクセスしにくくする対策を行っている。基板ケースに収容されている制御基板等が偽造品に交換されたり、基板ケースがこじ開けられたりしたような場合であっても、その痕跡を基板ケースの外部から視認できるようにするために、基板ケースは、通常、透明な材料によって形成される。
【０００３】
しかし、従来の遊技機では、メイン制御基板を収容した基板ケースの後面側を、遊技機筺体の背板の前面側に固定されたケースホルダに取り付ける構造となっていた。このため、従来の遊技機では、ケースホルダから不正に取り外した基板ケースの後面側を破壊して制御基板等に不正アクセスした後、その基板ケースをケースホルダに再度取り付けることによって、基板ケースの破壊痕を基板ケースの後面側に隠れた状態として目立ちにくくすることが可能であった。したがって、制御基板等への不正アクセスの痕跡の有無を点検する者（通常、遊技機の設置店の従業員）は、基板ケースを前面側から目視するだけでは足りず、基板ケースの後面側も目視する必要があった。
【０００４】
ところで、これまでには、基板ケースをその後面が遊技機筺体の背板に沿う位置から前方へ回動させることができるように、遊技機筺体に対して基板ケースを回動可能な状態で取り付けた遊技機（以下においては、「基板ケース回動式の遊技機」と呼ぶことがある。）も提案されている（例えば特許文献１を参照。）。基板ケース回動式の遊技機では、基板ケースを回動させることで、基板ケースをケースホルダから取り外すことなく、基板ケースの後面側を目視することが可能である。
【先行技術文献】
【特許文献】
【０００５】
【特許文献１】特開２０１４−０５７６７４号公報
【発明の概要】
【発明が解決しようとする課題】
【０００６】
ところが、基板ケースには、制御基板が収容されるだけでなく、基板ケースをケースホルダに係合するための構造等、各種の構造が設けられる。
【０００７】
例えば、ケースホルダに対する基板ケースの取り付けは、通常、工場において行われるところ、遊技機が工場から出荷された後に、基板ケースがケースホルダから不正に取り外された場合であっても、そのことを検出することができるようにするために、基板ケースに設けられた係合部をケースホルダに設けられた被係合部に係合させることや、ケースホルダと固定ケースとをネジ止め等した箇所に封印部材を嵌め込むこと等が行われている。基板ケースとケースホルダとのこの種の係合等は、遊技機の業界において、「Ｂカシメ」と呼んでおり、この「Ｂカシメ」に係る上記の係合部や、被係合部や、封印部材や、その封印部材を嵌め込む箇所等を「Ｂカシメ部」と呼んでいる。これにより、Ｂカシメ部を破壊等しない限りは、基板ケースをケースホルダから取り外すことができない状態となるため、基板ケースを点検する者は、Ｂカシメ部の状態（破壊痕等の有無）を確認することによって、基板ケースがケースホルダから不正に取り外されたことがあるか否かを確認することが可能となっている。
【０００８】
また、基板ケースは、工場から出荷された後に、検査機関によってケースホルダから正規に取り外されることがある。このとき、上記のＢカシメ部は検査機関により正規に破壊等されることになる。検査機関による検査が完了した後の基板ケースは、再度、ケースホルダに取り付けることになるが、Ｂカシメ部は、既に破壊等された状態となっているため、利用することができない。このため、検査完了後の取り付けの際には、基板ケースに設けられた別の係合部（Ｂカシメ部を構成する係合部とは別の係合部）を、ケースホルダに設けられた別の被係合部（Ｂカシメ部を構成する被係合部とは別の被係合部）に係合させること等が行われている。基板ケースとケースホルダとのこの種の係合等は、遊技機の業界において、「Ｃカシメ」と呼んでおり、この「Ｃカシメ」に係る上記の係合部や被係合部等を「Ｃカシメ部」と呼んでいる。これにより、検査完了後においても、Ｃカシメ部の状態を確認することによって、基板ケースがケースホルダから不正に取り外されたことがあるか否かを確認することが可能となっている。
【０００９】
さらに、検査機関による検査は、１回のみとは限らず、２回以上行われることもあるため、基板ケースやケースホルダには、上記のＢカシメ部やＣカシメ部に加えて、「Ｄカシメ部」や「Ｅカシメ部」が設けられる場合もある。これにより、２回目の検査の際にＣカシメ部を正規に破壊等した後には、Ｄカシメ部を用いて基板ケースとケースホルダとを係合等し、３回目の検査の際にＤカシメ部を正規に破壊等した後には、Ｅカシメ部を用いて基板ケースとケースホルダとを係合等することができるため、複数回の検査を経た後であっても、基板ケースのケースホルダからの不正な取り外しの有無を確認することが可能になる。
【００１０】
このように、基板ケースには、上記のＢカシメ部やＣカシメ部等、各種の構造が設けられるが、これらのＢカシメ部やＣカシメ部等は、基板ケースにおいて一定のスペースを占める。この点、従来の基板ケース回動式の遊技機は、基板ケースの全体が回動する構造となっており、後面側から点検する必要が特にないＢカシメ部やＣカシメ部等が設けられた箇所までもが回動するようになっていた。特許文献１の遊技機でも、同文献の図１３に示されるように、基板ケースの全体が回動する構造となっている。したがって、従来の基板ケース回動式の遊技機では、回動させる基板ケースの前面側に、基板ケースを回動させるためのスペースを大きく確保する必要があり、遊技機筺体内のスペースを有効に活用しにくいという課題があった。
【００１１】
本発明は、上記課題を解決するために為されたものであり、基板ケース回動式の遊技機において、基板ケースにおける回動する部分を小型化し、遊技機筺体内のスペースを有効に活用できるようにする遊技機用基板ケースの取り付け構造を提供するものである。また、この遊技機用基板ケースの取り付け構造を用いて、基板ケースを遊技機筺体に取り付けた遊技機を提供することも本発明の目的である。
【課題を解決するための手段】
【００１２】
上記課題は、
制御基板を収容するための基板収容部を有する基板ケースを、遊技機筺体に取り付けられたケースホルダの前面に取り付けるための遊技機用基板ケースの取り付け構造であって、
基板ケースが、
ケースホルダに固定される固定ケースと、
基板収容部を有し、ケースホルダに保持される保持位置から保持位置よりも前方回動した展開位置になるまで回動させることができる状態で固定ケースに軸支される回動ケースと、
で構成され、
固定ケースをケースホルダから取り外さなければ、ケースホルダから回動ケースを取り外すことができない状態とされ、
固定ケースをケースホルダから取り外そうとした際に痕跡が発生する痕跡発生手段が、固定ケースに設けられた
ことを特徴とする遊技機用基板ケースの取り付け構造
を提供することによって解決される。
【００１３】
ここで、「固定ケースをケースホルダから取り外さなければ、ケースホルダから回動ケースを取り外すことができない状態」は、例えば、上述した、Ｂカシメ部、Ｃカシメ部、Ｄカシメ部又はＥカシメ部等によって実現することができる。
【００１４】
かかる構成のように、基板ケースを、固定ケースと回動ケースとで構成し、基板ケースにおけるＢカシメ部等（Ｂカシメ部、Ｃカシメ部、Ｄカシメ部又はＥカシメ部のうち、少なくとも１つのカシメ部。以下同じ。）に係る部分を固定ケースに形成することによって、基板ケースにおける回動する部分（回動ケース）を小型化することが可能になる。このため、遊技機筺体内のスペースを有効に活用することが可能になる。
【００１５】
本発明の遊技機用基板ケースの取り付け構造において、基板ケースを構成する固定ケースには、上記のＢカシメ部に係る部分と、上記のＣカシメ部に係る部分と、上記のＤカシメ部に係る部分と、上記のＥカシメ部に係る部分のうち、１種類のみを設けてもよいが、複数種類を設けると好ましい。このような基板ケースでは、Ｂカシメ部等を設けるスペースを広く確保する必要があるため、本発明の遊技機用基板ケースの取り付け構造に係る構成を採用するメリットが大きいからである。
【００１６】
本発明の遊技機用基板ケースの取り付け構造において、痕跡発生手段の態様は、特に限定されない。例えば、ケースホルダと固定ケースとを固定する固定部材（ネジ等）による固定箇所（ネジ止め箇所等）を封印するための封印部材を、痕跡発生手段とすることができる。これにより、Ｂカシメ部等を、比較的簡素な構造とすることが可能になる。
【００１７】
また、互いに係合可能な第一係合部（例えば、Ｂカシメ用係合部、Ｃカシメ用係合部、Ｄカシメ用係合部又はＥカシメ用係合部）及び第一被係合部（例えば、Ｂカシメ用被係合部、Ｃカシメ用被係合部、Ｄカシメ用被係合部又はＥカシメ用被係合部）のうち、一方をケースホルダに設けて、他方を、固定ケースに設けた場合においては、この第一係合部及び第一被係合部を痕跡発生手段とすることもできる。これにより、Ｂカシメ部等を、痕跡を残さない状態では困難がより解除なものとすることが可能になる。この構成は、上記の封印部材を用いる構成と合わせて採用することも可能である。
【００１８】
本発明の遊技機用基板ケースの取り付け構造においては、保持位置にある回動ケースの前面側を係止して、回動ケースが保持位置から前方回動しないようにするための保持位置用係止部を、固定ケースの前面側に設けることも好ましい。
【００１９】
既に述べたように、本発明の遊技機用基板ケースの取り付け構造では、遊技機筺体内のスペースを有効に活用できるところ、かかる構成を採用することによって、固定ケースの前面側のスペース（基板ケースの全体が回動する構造となっている場合には、部材等を設ける箇所としては利用することができないスペース）を、回動ケースを保持するための保持位置用係止部を設ける箇所として有効に用いることが可能になる。
【００２０】
本発明の遊技機用基板ケースの取り付け構造において、上記のように、固定ケースの前面側に保持位置用係止部を設ける場合には、
保持位置用係止部を、固定ケースの本体部に対して分離可能に形成された分離可能部に設け、
回動ケースを、
回動ケースの後面側を形成するベース部材と、
回動ケースの前面側を形成するカバー部材と、
で構成し、
固定ケースの本体部から分離した分離可能部を、ベース部材に対してカバー部材を係合させるための第二係合部及び第二被係合部（後述するＦカシメ部を構成する係合部及び被係合部。以下においては、第二係合部を「Ｆカシメ用係合部」と呼び、第二被係合部を「Ｆカシメ用被係合部」と呼ぶことがある。）のうちいずれか一方として利用できるようにする
ことも好ましい。
【００２１】
というのも、遊技機では、基板ケースに収容された制御基板に不具合や不審な点等が認められた場合には、制御基板は、その基板ケースに収容された状態のままメーカーに返却される。ところが、このメーカーへの返却過程において、基板ケースが不正に開けられてしまうと、制御基板の不具合等が返却前に生じていたものなのか、返却過程において生じたものなのかの判断ができなくなる。このため、従来の遊技機における基板ケースでは、この返却過程において基板ケースが不正に開けられたことを発見できるようにするため、基板ケースを構成するベース部材とカバー部材とを、所定の係合部と所定の被係合部とを係合させることにより、基板ケースを封止することが行われている。ベース部材とカバー部材とのこの種の係合は、遊技機の業界において、「Ｆカシメ」と呼んでおり、この「Ｆカシメ」に係る上記の係合部や被係合部を「Ｆカシメ部」と呼んでいる。Ｆカシメ部に係る部分（Ｆカシメ用係合部又はＦカシメ用被係合部）は、基板ケースにおける所定の箇所に分離可能な状態に設けておき、Ｆカシメの必要が生じたときに、基板ケースから分離して用いる構造を採用している基板ケースもある。しかし、このＦカシメ用係合部やＦカシメ用被係合部も、基板ケースにおいて一定のスペースを占める。この点、かかる構成を採用することによって、Ｆカシメ用係合部やＦカシメ用被係合部を、基板ケースにおける回動する部分（回動ケース）に設ける必要がなくなり、回動ケースをさらに小型化することが可能になるだけでなく、固定ケースの前面側のスペースを、Ｆカシメ用係合部やＦカシメ用被係合部を設ける箇所としてさらに有効に活用することが可能になるからである。
【００２２】
本発明の遊技機用基板ケースの取り付け構造においては、
固定ケースに対して回動ケースを軸支するための軸支機構を、
回動ケースに設けられた支軸部と、
固定ケースに設けられた、前記支軸部を支持するための軸受部と、
で構成する
ことも好ましい。
【００２３】
というのも、Ｂカシメ部等に痕跡を残すことなく、回動ケースを固定ケースから不正に取り外す方法としては、回動ケースと固定ケースとの連結部分を綺麗に切断（切断痕が目立たないように切断）して基板ケース（回動ケース）を不正に開け、制御基板等に目的の不正行為を行った後、その切断部分を綺麗に接着（切断痕が目立たないように接着）する方法が考え得る。この点、かかる構成を採用することによって、回動ケースと固定ケースとの連結部分を切断しようとすると、回動ケースの支軸部と固定ケースの軸受部周辺との双方を切断する必要が生じる。したがって、回動ケースと固定ケースとの連結部分を綺麗に切断しにくくし、その連結部分に切断痕や接着痕が目立つ状態で残りやすくすることが可能になるからである。
【００２４】
本発明の遊技機用基板ケースの取り付け構造においては、「固定ケースをケースホルダから取り外さなければ、ケースホルダから回動ケースを取り外すことができない状態」とすることについては、既に述べた通りである。このような状態をどのような手段（取り外し規制手段）によって実現するかについては、特に限定されない。しかし、上記のように、固定ケースに対して回動ケースを軸支するための軸支機構を、回動ケースの支軸部と固定ケースの軸受部とで構成する場合には、互いに当接することにより、前記支軸部を前記軸受部から引き抜く方向に回動ケースをスライドできない状態に回動ケースのスライドを規制するためのスライド規制用当接部及びスライド規制用被当接部のうち、一方をケースホルダに設けて、他方を、回動ケースに設けることも好ましい。
【００２５】
かかる構成を採用することによって、取り外し規制手段を簡素な構造としながらも、固定ケースからの回動ケースの不正な取り外しを防止することが可能になる。
【００２６】
本発明の遊技機用基板ケースの取り付け構造において、固定ケースに対して回動ケースを軸支するための軸支機構を、上記のように、回動ケースの支軸部と固定ケースの軸受部とで構成する場合には、
回動ケースの支軸部の外周部及び固定ケースの軸受部の内周部のうち、いずれか一方に回動規制用凸部を設けて、他方に回動規制用凹部を設け、
回動ケースを保持位置から展開位置に移動する際に、回動規制用凹部に嵌合された回動規制用凸部が、回動規制用凹部における一側から他側へ移動するようにするとともに、
回動ケースが展開位置に達すると、回動規制用凸部が回動規制用凹部の端部に当接することにより、回動ケースのそれ以上の回動が規制されるようにする
ことも好ましい。
【００２７】
というのも、固定ケースに対して回動ケースを軸支するための軸支機構を、回動ケースの支軸部と固定ケースの軸受部とで構成すると、回動ケースと固定ケースとの連結部分が不正に切断又は接着された場合に、その切断痕や接着痕が目立つ状態で残りやすくすることができることについては、既に述べた通りであるが、かかる構成を採用することによって、回動ケースの支軸部の外周形状及び固定ケースの軸受部の内周形状を複雑化して、その切断痕や接着痕がより目立つ状態で残るようにすることが可能になるからである。また、回動ケースと固定ケースとの連結部分が不正に切断された後に接着された場合には、当該連結部分の強度は当初よりも低下するところ、かかる構成を採用することによって、回動規制用凸部と回動規制用凹部とが当接したときに前記連結部分における不正に接着された箇所が破壊されやすくなり、基板ケースの不正な取り外しを発見しやすくすることも可能になるからである。例えば、本来であれば回動が規制されるべき箇所で回動ケースの回動が規制されずに回動し続ける等の現象が確認されると、基板ケースが不正に取り外されたと判断することができる。
【図面の簡単な説明】
【００２８】
【図１】回胴式遊技機を前方から見た図である。
【図２】前扉が開かれた回胴式遊技機を前方斜め右上から見た図である。
【図３】ケースホルダに対して基板ケースを組み付けた状態を、前方斜め右上から見た図である。
【図４】基板ケースにおける回動ケースを前方斜め右上から見た図である。
【図５】基板ケースにおける回動ケースの内部に制御基板を収容する様子を、前方斜め右上から見た図である。
【図６】基板ケースにおける第一固定ケースを、（ａ）前方斜め右上から見た図、及び、（ｂ）後方斜め左上から見た図である。
【図７】基板ケースにおける第二固定ケースを、（ａ）前方斜め右上から見た図、及び、（ｂ）後方斜め左上から見た図である。
【図８】基板ケースにおける回動ケースに対して第二固定ケースを組み付けている様子を、前方斜め右上から見た図である。
【図９】第二固定ケースが組み付けられた回動ケースをケースホルダに対して組み付けている様子を、前方斜め右上から見た図である。
【図１０】回動ケース及びケースホルダに対して第一固定ケースを組み付けている様子を、前方斜め右上から見た図である。
【図１１】回動ケース及びケースホルダに対して第一固定ケースを組み付け終えた状態を、前方斜め右上から見た図である。
【図１２】（ａ）ケースホルダに対して第一固定ケースを組み付ける前の状態と、（ｂ）ケースホルダに対して第一固定ケースを組み付けた後の状態とを、ケースホルダにおけるＢカシメ用被係合部（第一被係合部）の周辺で拡大して前方から見た図である。
【図１３】回動ケースが展開位置にあるときの基板ケース及びケースホルダを、前方斜め右上から見た図である。
【図１４】回動ケースが保持位置にあるときの基板ケース及びケースホルダを左方から見た図である。
【図１５】回動ケースが展開位置にあるときの基板ケース及びケースホルダを左方から見た図である。
【図１６】（ａ）第一被係合部を構成する被係合用可動体がＢカシメ用被係合部として利用される第一位置にある状態と、（ｂ）同被係合用可動体がＣカシメ用被係合部として利用される第二位置にある状態とを、ケースホルダにおける第一被係合部の周辺で拡大して前方斜め右上から見た図である。
【発明を実施するための形態】
【００２９】
本発明の遊技機用基板ケースの取り付け構造の好適な実施態様について、図面を用いてより具体的に説明する。以下においては、説明の便宜上、本発明に係る構成を回胴式遊技機で採用する場合を例に挙げて説明する。しかし、本発明の技術的範囲は、回動式遊技機の基板ケースの取り付け構造に限定されず、パチンコ遊技機等の他の遊技機の基板ケースの取り付け構造にも及ぶ。
【００３０】
また、図面の各図においては、説明の便宜を考慮し、ｘ軸、ｙ軸及びｚ軸を示している。ｘ軸、ｙ軸及びｚ軸の向きは、異なる図であっても、互いに一致している。以下においては、ｘ軸方向正側を「右」側、ｘ軸方向負側を「左」側、ｙ軸方向正側を「後」側、ｙ軸方向負側を「前」側、ｚ軸方向正側を「上」側、ｚ軸方向負側を「下」側と呼ぶことがあるが、これは、各部の相対的な位置関係を表すためのものに過ぎず、各部の絶対的な位置関係を限定するものではない。
【００３１】
１．  回胴式遊技機の概要
図１は、回胴式遊技機１０を前方から見た図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための液晶ディスプレイ１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるためのチャンスボタン２４と、クレジットされたメダルを払い戻すための払戻しボタン２５等を有するものとなっている。
【００３２】
この回胴式遊技機１０は、メダルのクレジット枚数が所定枚数以上となった状態でスタートレバー２０が操作されると、役抽選が実行されるとともにリール１３，１４，１５が回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００３３】
図２は、前扉１０ｂが開かれた回胴式遊技機１０を前方斜め右上から見た図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。以下においては、筺体本体１０ａと前扉１０ｂとを合わせて「筺体１０ａ，１０ｂ」と表記することがある。本実施態様において、遊技機筺体の内部には、メイン制御基板ユニット３０、サブ制御基板ユニット３１、液晶ユニット３２、電源ユニット３３、コネクタユニット３４、リールユニット３５及びホッパーユニット３６等が納められている。
【００３４】
メイン制御基板ユニット３０は、役抽選や入賞判定等、遊技における基本的な制御を行う制御基板（メイン制御基板）を備えている。サブ制御基板ユニット３１は、発光ランプや音声による演出等、遊技における演出に関する制御を行う制御基板（サブ制御基板）を備えている。液晶ユニット３２は、液晶ディスプレイ１６（図１を参照）に表示される映像による演出に関する制御を行う制御基板（映像基板）を備えている。電源ユニット３３は、回胴式遊技機１０における各機器に電力を供給する制御基板（電源基板）を備えている。コネクタユニット３４は、特定の機器に接続されたケーブルを仲介する制御基板（仲介基板）を備えている。リールユニット３５は、リール１３，１４，１５の回転をそれぞれ独立して制御する制御基板（リール制御基板）を備えている。ホッパーユニット３６は、メダル投入口１１（図１を参照）に投入されたメダルを回収するとともに、メイン制御基板ユニット３０からの信号に基づいてメダル払出口１２（図１を参照）へメダルを送出する制御を行う制御基板（ホッパー制御基板）を備えている。
【００３５】
これらのユニットに備えられた各種制御基板は、いずれも、不正アクセスの対象となり得る。例えば、メイン制御基板ユニット３０に備えられた制御基板（メイン制御基板）には、回胴式遊技機１０における基本的な制御を行うためのプログラムが記録された記憶装置（ＲＯＭ）が搭載されているところ、この記憶装置を偽造したものに交換することによって、遊技中に特定の操作を行うと必ず大当たりになるようにする等、回胴式遊技機１０に不正な改造を試みる者がいる。このため、回胴式遊技機１０等の遊技機においては、この種の制御基板を、基板ケースの内部に収容して封止することが行われている。本実施態様においても、これらの制御基板を透明な基板ケースの内部に収容することによって、当該制御基板を封止する構造を採用している。
【００３６】
本発明は、遊技機の基板ケースの取り付け構造に関するものであるところ、メイン制御基板を収容する基板ケース（メイン制御基板ユニット３０を構成する基板ケース）の取り付け構造に採用すると好ましい。というのも、本発明は、既に述べたように、筺体の背板等（筺体本体１０ａの側板や、前扉１０ｂを含む。）に対して基板ケースを回動可能な状態で取り付けることによって、基板ケースの正面側からだけでなく背面側からも、当該基板ケースへの不正アクセスの有無を確認しやすくするとともに、筺体１０ａ，１０ｂ内のスペースを有効に活用できるようにするものである。この点、メイン制御基板は、遊技機のなかで最も不正アクセスの対象となりやすい制御基板であることに加えて、メイン制御基板を収容する基板ケースには、上記のＢカシメ部等、スペースを要する機構が設けられることが多いからである。
【００３７】
本実施態様においても、本発明に係る構成は、メイン制御基板を収容する基板ケース（具体的には、後掲の図３に示す基板ケース１００）で採用している。以下においては、メイン制御基板を収容する基板ケースの取り付け構造を例に挙げて説明する。ただし、このことは、本発明に係る構成を、メイン制御基板を収容する基板ケースにおいてのみ採用できることを意味しない。本発明の遊技機用基板ケースの取り付け構造は、メイン制御基板ユニット３０以外のユニット３１〜３７を構成する基板ケースでも好適に採用することができる。
【００３８】
２．遊技機用基板ケースの取り付け構造
本実施態様の遊技機用基板ケース（基板ケース１００）の取り付け構造について詳しく説明する。図３は、ケースホルダ２００に対して基板ケース１００を組み付けた状態を、前方斜め右上から見た図である。本発明の取り付け構造は、図３に示すように、基板ケース１００を、ケースホルダ２００の前面に取り付けるためのものとなっている。ケースホルダ２００は、その後面側を遊技機の筺体１０ａ，１０ｂ（図２）における所定箇所に固定される部材となっている。基板ケース１００は、固定ケース（第一固定ケース１１０及び第二固定ケース１２０）と回動ケース１３０とで構成される。
【００３９】
図４は、図３の基板ケース１００における回動ケース１３０を前方斜め右上から見た図である。図５は、図４の回動ケース１３０の内部に制御基板３００（本実施態様においてはメイン制御基板）を収容する様子を、前方斜め右上から見た図である。図６は、図３の基板ケース１００における第一固定ケース１１０を、（ａ）前方斜め右上から見た図、及び、（ｂ）後方斜め左上から見た図である。図７は、図３の基板ケース１００における第二固定ケース１２０を、（ａ）前方斜め右上から見た図、及び、（ｂ）後方斜め左上から見た図である。
【００４０】
基板ケース１００における回動ケース１３０は、図５に示すように、ベース部材１３１とカバー部材１３２とに分割可能な構造となっており、回動ケース１３０の内部には、制御基板３００を収容することができるようになっている。
【００４１】
本実施態様の取り付け構造においては、図４及び図５の回動ケース１３０と、図６の第一固定ケース１１０と、図７の第二固定ケース１２０とを、以下の手順により、ケースホルダ２００（図３）に対して取り付けるようになっている。ただし、以下で述べる手順は、飽くまで一例であり、本発明に係る遊技機用基板ユニットの技術的範囲は、以下の手順で行われるものに限定されない。下記の手順は、各部材が干渉等して、その手順で行うことが不可能でない限り、適宜変更することができる。
【００４２】
まず、図８に示すように、第二固定ケース１２０（図７）を回動ケース１３０に対して組み付ける。図８は、回動ケース１３０に対して第二固定ケース１２０を組み付けている様子を、前方斜め右上から見た図である。本実施態様においては、図８の矢印α３に示すように、回動ケース１３０に第二固定ケース１２０を右向き（ｘ軸方向正側）にスライドさせることにより、回動ケース１３０の左側面部における下部に第二固定ケース１２０を組み付けるようになっている。
【００４３】
回動ケース１３０は、後述するように、第二固定ケース１２０に対して回動させることが可能な部分となっている。このため、第二固定ケース１２０に対する回動ケース１３０の組み付けは、第二固定ケース１２０に対して回動ケース１３０を軸支することによって行われる。本実施態様においては、回動ケース１３０の左側面部の下部に支軸部１４３を設けており、第二固定ケース１２０の右側面部の下部に軸受部１４４を設けているところ、支軸部１４３を軸受部１４４に挿通して支持させることによって、第二固定ケース１２０に対して回動ケース１３０を組み付けるようにしている。
【００４４】
回動ケース１３０に対して第二固定ケース１２０を組み付け終えると、図９に示すように、その回動ケース１３０を、第二固定ケース１２０が組み付けられた状態のまま、矢印α４の向きに移動させ、ケースホルダ２００の前面側に組み付ける。図９は、第二固定ケース１２０が組み付けられた回動ケース１３０をケースホルダ２００に対して組み付けている様子を、前方斜め右上から見た図である。
【００４５】
図９に示すように、回動ケース１３０には、回動ケース１３０の右側面部の下部から右方に突出する支軸部１４１と、支軸部１４１の外周部を囲うように設けられた鍔部１４５と、回動ケース１３０の左側面部の下部から左方に突出する支軸部１４３（図８）と、支軸部１４３の外周部を囲うように設けられた鍔部１４６とが設けられており、ケースホルダ２００には、左右一対の鍔止め部２０１，２０２が設けられているところ、後掲する図１０に示すように、鍔部１４５が鍔止め部２０１の右側に位置し、鍔部１４６が鍔止め部２０２の左側に位置するように、回動ケース１３０の組み付けを行う。鍔部１４５，１４６は、上記の「スライド規制用当接部」として機能する部分となっており、鍔止め部２０１，２０２は、上記の「スライド規制用被当接部」として機能する部分となっている。
【００４６】
ケースホルダ２００に対して回動ケース１３０を組み付けた後には、第二固定ケース１２０は、ケースホルダ２００の前面における左下隅角部に組み付けられるようになっている。この第二固定ケース１２０は、ケースホルダ２００に対して固定され、ケースホルダ２００に対して動かない状態とされる。本実施態様においては、第二固定ケース１２０の前面側に凹穴状に設けた固定部材挿通部１２１に、ネジ等の固定部材を挿通することによって、ケースホルダ２００に対して第二固定ケース１２０を固定するようにしている。固定部材を挿通した後の固定部材挿通部１２１には、後掲する図１０に示すように、キャップ状の封印部材６０３を嵌め込んで封止し、固定部材挿通部１２１に嵌め込んだ封印部材６０３と第二固定ケース１２０とに跨るように、シール状の封印部材６０４を貼り付ける。
【００４７】
封印部材６０３，６０４のうち、キャップ状の封印部材６０３は、第二固定ケース１２０がケースホルダ２００から不正に取り外されないようにするためのものであり、封印部材６０３の先端部（ｙ軸方向正側の端部）は、固定部材挿通部１２１の奥部で係合される構造を有している。封印部材６０３を固定部材挿通部１２１に一旦嵌め込んでしまうと、封印部材６０３や第二固定ケース１２０を破壊等しない限りは、上記の固定部材（ケースホルダ２００に対して第二固定ケース１２０を固定するネジ等の固定部材）の固定箇所にアクセスできない状態となる。換言すると、封印部材６０３等に痕跡を残さない限りは、ケースホルダ２００から第二固定ケース１２０を取り外すことができない状態となる。この点において、封印部材６０３は、上記のＢカシメ部等に相当するものとなっている。
【００４８】
一方、シール状の封印部材６０４も、第二固定ケース１２０がケースホルダ２００から不正に取り外されないようにするためのものである。すなわち、封印部材６０４を切断や剥離等しなければ、キャップ状の封印部材６０３を固定部材挿通部１２１から取り外すことができない状態とするためのものとなっている。換言すると、この封印部材６０４によっても、封印部材６０４等に痕跡を残さない限りは、ケースホルダ２００から第二固定ケース１２０を取り外すことができない状態となっている。この点において、封印部材６０４も、上記のＢカシメ部等に相当するものとなっている。
【００４９】
ところで、図９に示すケースホルダ２００の前面側における左縁部には、サブ通信接続基板ユニット７００が固定されている。このサブ通信接続基板ユニット７００は、回動ケース１３０に収容されたメイン制御基板（図５の制御基板３００）と、サブ制御基板ユニット３１（図２）に収容されたサブ制御基板ユニットとを中継するための中継基板が収容されたものである。この中継基板は、メイン制御基板とサブ制御基板との通信方式の違いを解消するために設けられたものとなっている。本実施態様においては、ケースホルダ２００に対して回動ケース１３０を組み付ける図９の状態で、ケースホルダ２００にサブ通信接続基板ユニット７００が予め固定された状態となっている。しかし、ケースホルダ２００にサブ通信接続基板ユニット７００を固定するタイミングは、これに限定されず、ケースホルダ２００に回動ケース１３０を組み付けた後や、ケースホルダ２００に第一固定ケースを組み付けた後に、サブ通信接続基板ユニット７００を固定することもできる。
【００５０】
ケースホルダ２００に対して第二固定ケース１２０を固定し終えると、続いて、図１０及び図１１に示すように、第一固定ケース１１０を移動させ、回動ケース１３０及びケースホルダ２００に対して第一固定ケース１１０を組み付ける。図１０は、回動ケース１３０及びケースホルダ２００に対して第一固定ケース１１０を組み付けている様子を、前方斜め右上から見た図である。図１１は、回動ケース１３０及びケースホルダ２００に対して第一固定ケースを組み付け終えた状態を、前方斜め右上から見た図である。
【００５１】
本実施態様においては、図１０の矢印α５に示すように、回動ケース１３０及びケースホルダ２００に対して第一固定ケース１１０を左向き（ｘ軸方向負側）にスライドさせることにより、ケースホルダ２００の前面側における右下隅角部に第一固定ケース１１０を組み付けるようにしている。回動ケース１３０は、後述するように、第一固定ケース１１０に対して回動させることが可能な部分となっている。このため、第一固定ケース１１０に対する回動ケース１３０の組み付けは、第一固定ケース１１０に対して回動ケース１３０を軸支することによって行われる。本実施態様においては、回動ケース１３０の右側面部の下部に支軸部１４１を設けており、第一固定ケース１１０の右側面部の下部に軸受部１４２を設けているところ、支軸部１４１を軸受部１４２に挿通して支持させることによって、第一固定ケース１１０に対して回動ケース１３０を組み付けるようにしている。
【００５２】
図１２は、（ａ）ケースホルダ２００に対して第一固定ケース１１０を組み付ける前の状態と、（ｂ）ケースホルダ２００に対して第一固定ケース１１０を組み付けた後の状態とを、ケースホルダ２００における第一被係合部５０１の周辺で拡大して前方から見た図である。図１２においては、第一固定ケース１１０の内部に位置する第一係合部４０１が見えるように、第一固定ケース１１０の前面部における一部を破断して描いている。第一固定ケース１１０とケースホルダ２００とには、第一係合部４０１（図６（ｂ））及び第一被係合部５０１とが設けられている。このため、ケースホルダ２００に対して第一固定ケース１１０を左向きにスライドさせて、ケースホルダ２００に第一固定ケース１１０を組み付ける際には、図１２に示すように、第一係合部４０１（同図の例では、上下一対に設けられた第一係合部４０１のうち上側に位置する第一係合部４０１）と第一被係合部５０１とが係合するようになっている。第一係合部４０１と第一被係合部５０１は、一旦係合した状態になると、破壊や白化等の塑性変形を伴わない状態（何らかの痕跡を残さない状態）では、その係合を解除することが極めて困難なものとなっている。換言すると、第一係合部４０１や第一被係合部５０１に痕跡を残さない限りは、ケースホルダ２００から第一固定ケース１１０を取り外すことができない状態となる。この点において、第一係合部４０１や第一被係合部５０１も、上記のＢカシメ部（Ｂカシメ用係合部やＢカシメ用被係合部）等に相当するものとなっている。
【００５３】
回動ケース１３０及びケースホルダ２００に対して第一固定ケース１１０を所定位置までスライドさせ、第一係合部４０１と第一被係合部５０１とを係合させると、ケースホルダ２００に対して第一固定ケース１１０を固定し、ケースホルダ２００に対して第一固定ケース１１０が動かないようにする。本実施態様においては、図１１に示すように、第一固定ケース１１０の前面側に凹穴状に設けた固定部材挿通部１１１に、ネジ等の固定部材を挿通することによって、ケースホルダ２００に対して第一固定ケース１１０を固定するようにしている。固定部材を挿通した後の固定部材挿通部１１１には、キャップ状の封印部材６０１を嵌め込んで封止する。また、固定部材挿通部１１１に嵌め込んだ封印部材６０１と第一固定ケース１１０とに跨るように、シール状の封印部材６０２も貼り付ける。この封印部材６０１，６０２も、上記の封印部材６０３，６０４や、第一係合部４０１及び第一被係合部５０１と同様、Ｂカシメ部等として機能するものとなっている。
【００５４】
ところで、本実施態様においては、図６に示すように、第一固定ケース１１０の前面側に、保持位置用係止部１１２を設けており、図１１に示すように、回動ケース１３０及びケースホルダ２００に対して第一固定ケース１１０を組み付けた際には、この保持位置用係止部１１２が、回動ケース１３０の前面側を係止し、回動ケース１３０が図１１の保持位置で保たれるようになっている。
【００５５】
以上により、ケースホルダ２００に対する基板ケース１００の取り付けが完了する。本実施態様においては、基板ケース１００の取り付けが完了した後には、図１１に示すように、基板ケース１００の所定箇所に、記録シール６０５等を貼り付けるようにしている。既に述べたように、基板ケース１００は、工場等で封止され、検査機関等によって正規に開封される場合があるところ、記録シール６０５は、その封止した時期やその際に使用したカシメ部等を記録したものとなっている。この記録シール６０５に記された記録と、基板ケース１００等の各カシメ部の状態とを比較することによって、基板ケース１００等が正規以外に開封されたこと（不正に開封されたこと）があるか否かを判断する目安とすることができるようになっている。
【００５６】
また、本実施態様においては、基板ケース１００の回動ケース１３０におけるベース部材１３１とカバー部材１３２とを組み付けた後に、封止シール６０６を貼り付けるようにしている。この封止シール６０６は、後述するように、基板ケース１００の回動ケース１３０におけるベース部材１３１とカバー部材１３２とに跨った状態に貼り付けられ、それを切断等しない限りは、回動ケース１３０を開放して制御基板３００（図５）にアクセスすることができないようになっている。このため、封印シール６０６の状態を確認することで、回動ケース１３０が不正に開けられたことがあるか否かを判断する目安とすることができるようになっている。
【００５７】
以上の手順によってケースホルダ２００に取り付けた基板ケース１００の回動ケース１３０は、図１１に示すように、その鍔部１４５における左側の面が鍔止め部２０１によって押さえられ、その鍔部１４６における右側の面が鍔止め部２０２によって押さえられており、左右方向に移動させることができない状態となっていることに加えて、図１０に示すように、その支軸部１４１が軸受部１４２に挿通されており、前後方向にも移動させることができない状態となっている。このため、回動ケース１３０は、図１１に示すテープ状の封印部材６０２を切断等して、キャップ状の封印部材６０１を破壊等して固定部材挿通孔１１１から取り外し、固定部材挿通孔１１１奥部のネジ等の固定部材も外して、図１２に示す第一係合部４０１と第一被係合部５０１とを解除して第一固定ケース１１０をケースホルダ２００から取り外すとともに、図１０に示すテープ状の封印部材６０４を切断等して、キャップ状の封印部材６０３を破壊等して固定部材挿通孔１２１から取り外し、固定部材挿通孔１２１奥部のネジ等の固定部材も外して、第二固定ケース１２０をケースホルダ２００から取り外さなければ、ケースホルダ２００から取り外すことができない状態となっている。換言すると、鍔部１３５，１４６は、上記の取り外し規制手段におけるスライド規制用当接部として機能する部分となっており、鍔止め部２０１，２０２は、上記の取り外し規制手段におけるスライド規制用被当接部として機能する部分となっている。
【００５８】
３．遊技機用基板ケースの確認手順
既に述べたように、遊技機の設置店の従業員は、制御基板３００（図５）等に異常がないか否かを確認するため、遊技機筺体の前扉１０ｂ（図２）を開け、メイン制御基板ユニット３０等の各ユニットの状態を目視により確認することがあり、そのときには、各ユニットの基板ケース１００における制御基板３００が収容された部分の裏面（遊技機筺体に取り付けられる側の面）側の状態も確認する必要がある。この点、本実施態様の基板ケース１００は、上述したように、ケースホルダ２００に対して回動可能な状態で取り付けたため、基板ケース１００をケースホルダ２００から取り外さなくても、基板ケース１００の裏面側の状態を確認することができるようになっている。
【００５９】
すなわち、基板ケース１００は、通常時（遊技時等）においては、図１１に示す保持位置にあるところ、確認時においては、保持位置用係止部１１２の係止を解除することで、図１３に示す展開位置まで回動させ、基板ケース１００（回動ケース１３０）の裏面側の状態を確認することが可能な状態となる。図１３は、回動ケース１３０が展開位置にあるときの基板ケース１００及びケースホルダ２００を、前方斜め右上から見た図である。
【００６０】
このとき、基板ケース１００の全体が回動するようにしておくと、遊技機筺体内におけるケースホルダ２００の前方には、基板ケース１００を回動させることができるように、基板ケース１００の回動空間を広く確保しておく必要がある。この点、本実施態様の基板ケース１００では、制御基板３００（図５）を収容した回動ケース１３０のみが回動し、Ｂカシメ部等を設けた固定ケース１１０，１２０が回動しないようになっており、固定ケース１１０，１２０を回動させる必要がない分、上記の回動空間を狭くすることができるようになっている。このため、遊技機筺体内における固定ケース１１０，１２０の前方のスペースを有効に活用することができるようになっている。本実施態様においては、第一固定ケース１１０の前方のスペースに、上記の保持位置用係止部１１２を設けている。この保持位置用係止部１１２は、後述するように、Ｆカシメ部としても機能するようになっており、第一固定ケース１１０の前方のスペースをより一層有効に活用できるようにしている。
【００６１】
ところで、回動ケース１３０を展開位置まで回動させたときには、その場所で回動ケース１３０が支持されるようにしておくことが好ましい。この点、本実施態様においては、図１４及び図１５に示すように、支軸部１４１の外周部に、回動規制用凹部１４１ａを円弧状に設けるとともに、軸受部１４２の内周部に、回動規制用凸部１４２ａを設けている。図１４は、回動ケース１３０が保持位置にあるときの基板ケース１００及びケースホルダ２００を左方から見た図である。図１５は、回動ケース１３０が展開位置にあるときの基板ケース１００及びケースホルダ２００を左方から見た図である。図１４及び図１５においては、支軸部１４１の外周部に設けられた回動規制用凹部１４１ａと、軸受部１４２の内周部に設けられた回動規制用凸部１４２ａとの相対的位置関係が分かるように、第一固定ケース１１０及び回動ケース１３０の一部を破断して示している。
【００６２】
すなわち、回動ケース１３０が前方に倒伏した展開位置（図１５）にあるときには、回動規制用凸部１４２ａの一対の側端面１４２ａ１，１４２ａ２のうち、一方の側端面１４２ａ１が、回動規制用凹部１４１ａの一対の側端面１４１ａ１，１４１ａ２のうち、一方の側端面１４１ａ１に当接することで、回動ケース１３０が展開位置を越えて一側（本実施態様においては下側）へ回動しないように、回動ケース１３０の回動が規制されるようになっている。このため、回動ケース１３０を展開位置まで回動させて回動ケース１３０の裏面側を確認する際に、回動ケース１３０を手等で支持する必要がないようになっている。また、回動ケース１３０と第一固定ケース１１０との連結部分（軸支部分）が不正に切断されて再接着された場合には、当該連結部分の強度は当初よりも低下するところ、かかる構成を採用することによって、回動規制用凹部１４１ａと回動規制用凸部１４２ａとが当接したときに前記連結部分における不正に接着された箇所が破壊されやすくなり、回動ケース１３０の不正な取り外しを発見しやすくすることも可能となっている。
【００６３】
また逆に、回動ケース１３０を図１５に示す展開位置から図１４に示す保持位置としたときには、回動規制用凸部１４２ａの他方の側端面１４２ａ２が、回動規制用凹部１４１の他方の側端面１４１ａ２に当接することによって、回動ケース１３０が保持位置を越えて他側へ回動しないように、回動ケース１３０の回動が規制されるようになっている。本実施態様においては、回動ケース１３０が保持位置にあるときには、回動ケース１３０の後面がケースホルダ２００の前面に略当接した状態となるため、回動規制用凹部１４１ａ及び回動規制用凸部１４２ａによって回動ケース１３０の他側への回動を規制する必要は特にないが、この構成は、ケースホルダ２００として、回動ケース１３０の後面を支持する部分を有さないものを用いる場合に好適に採用できる。
【００６４】
本実施態様においては、支軸部１４３と軸受部１４４とにおいても、支軸部１４１及び軸受部１４２と同様の回動規制用凹部及び回動規制用凸部を設けている。回動規制用凹部と回動規制用凸部の位置関係は、図１４及び図１５に示したものと逆にしてもよい。
【００６５】
４．遊技機用基板ケースの取り付け構造の構成部材
続いて、本実施態様の遊技機用基板ケース（基板ケース１００）の取り付け構造で用いた各部材について説明する。本実施態様の取り付け構造は、上述したように、第一固定ケース１１０及び第二固定ケース１２０並びに回動ケース１３０からなる基板ケース１００と、ケースホルダ２００とを用いるものとなっている。
【００６６】
４．１  ケースホルダ
ケースホルダ２００は、その後面側を遊技機の筺体１０ａ，１０ｂ（図２）における所定箇所に固定される。本実施態様では、基板ケース１００をメイン制御基板ユニット３０（図２）用のものとしたため、ケースホルダ２００の後面は、筺体本体１０ａ（図２）の背板１０ａ１の前面における上部に固定するようにしている。筺体１０ａ，１０ｂに対してケースホルダ２００を固定する方法は、特に限定されないが、通常、ネジ等の固定具が用いられる。ケースホルダ２００の形態は、特に限定されない。本実施態様において、ケースホルダ２００は、図９に示すように、前面視矩形状のパネル状となっている。
【００６７】
このケースホルダ２００の前面側には、ケースホルダ２００が取り付けられるところ、本実施態様においては、上述したように、ケースホルダ２００の前面側に、Ｂカシメ用被係合部として機能する第一被係合部５０１を設けており、固定ケース１１０，１２０（本実施態様では第一固定ケース１１０）に、Ｂカシメ用係合部として機能する第一係合部４０１を設けている。これとは逆に、ケースホルダ２００側に第一係合部４０１を設け、固定ケース１１０，１２０側に、第一被係合部５０１を設ける構成も可能である。本実施態様において、第一被係合部５０１は、Ｂカシメ用被係合部としてだけでなく、Ｃカシメ用被係合部としても機能するようにしている。
【００６８】
すなわち、図１６に示すように、第一被係合部５０１を、第一固定ケース１１０の第一係合部４０１を右側（一側）から係合可能な被係合用可動体５０１ａと、被係合用可動体５０１ａを係合方向（ｘ軸方向）に対して非平行な方向（本実施態様においては係合方向に対して略垂直な方向（ｚ軸方向））にスライド可能に保持する可動体保持部５０１ｂとで構成している。図１６は、ケースホルダ２００における第一被係合部５０１の周辺を拡大して前方斜め右上から見た図であって、同図（ａ）は、第一被係合部５０１を構成する被係合用可動体５０１ａがＢカシメ用被係合部として利用される第一位置にある状態を、同図（ｂ）は、被係合用可動体５０１ａがＣカシメ用被係合部として利用される第二位置にある状態とをそれぞれ示している。
【００６９】
このため、第一被係合部５０１における被係合用可動体５０１ａは、図１６（ａ）に示す上側位置（第一位置）と、図１６（ｂ）に示す下側位置（第二位置）との間で位置を切り替えることができるようになっており、被係合用可動体５０１ａを上側位置（第一位置）としたときには、被係合用可動体５０１ａをＢカシメ用被係合部として機能させ、被係合用可動体５０１ａを下側位置（第二位置）としたときには、被係合用可動体５０１ａをＣカシメ用被係合部として機能させることが可能となっている。したがって、Ｂカシメ用被係合部とＣカシメ用被係合部とを、１つの被係合用可動体５０１ａで共用し、部品点数を削減することが可能となっている。
【００７０】
また、本実施態様では採用していないが、ケースホルダ２００には、Ｄカシメ用被係合部やＥカシメ用被係合部を設けることもできる。この場合には、被係合用可動体５０１ａが、Ｂカシメ用被係合部として利用される第一位置と、Ｃカシメ用被係合部として利用される第二位置との間だけでなく、Ｄカシメ用被係合部として利用される第三位置や、Ｅカシメ用被係合部として利用される第四位置にも移動できるようにするとともに、第三位置にある被係合用可動体５０１ａに係合するＣカシメ用係合部や、第四位置にある被係合用可動体５０１ａに係合するＤカシメ用係合部を、固定ケース１１０，１２０に設けることによって実現することができる。この場合、Ｂカシメ用係合部、Ｃカシメ用係合部、Ｄカシメ用係合部及びＥカシメ用係合部は、近くで並列に配置すると好ましい。
【００７１】
４．２  基板ケース
基板ケース１００は、制御基板３００（図５）を収容するための基板収容部をその内部に有している。基板ケース１００は、その内部に収容される制御基板３００等に不正な改造等が施されたか否かを、又は、基板ケース１００自体に不正開封の痕跡があるか否かを、基板ケース１００の外部から目視により容易に確認できるようにするため、通常、透明な樹脂（通常、熱可塑性樹脂）によって形成される。
【００７２】
この基板ケース１００は、図３に示すように、固定ケース１１０，１２０と回動ケース１３０とで構成される。既に述べたように、固定ケース１１０，１２０は、基板ケース１００の構成部材のうち、ケースホルダ２００に対して動かない状態で固定される部分となっている。一方、回動ケース１３０は、ケースホルダ２００に対して回動させることが可能な状態で、固定ケース１１０，１２０に軸支される部分となっている。回動ケース１３０には、上記の基板収容部が設けられる。
【００７３】
４．２．１  回動ケース
回動ケース１３０は、その内部に制御基板を収容できる形態であれば、その形態を特に限定されないが、通常、複数の部材を組み合わせて構成される。本実施態様においては、図５に示すように、回動ケース１３０を、その後面側を形成するベース部材１３１と、その前面側を形成するカバー部材１３２とで構成している。
【００７４】
この回動ケース１３０は、図５の矢印α１に示すように、カバー部材１３２の後面側に、制御基板３００を組み付けた後、図５の矢印α２に示すように、その制御基板３００が組み付けられたカバー部材１３２を、ベース部材１３１の前面側に組み付けることによって、制御基板３００を収容するものとなっている。本実施態様において、カバー部材１３２をベース部材１３１に対して組み付ける際の最終段階では（組み付けが完了する直前には）、ベース部材１３１に対してカバー部材１３２を下向き（ｚ軸方向負側）にスライドさせるようになっている。また、カバー部材１３２をベース部材１３１に対して組み付けた後には、図１１に示すように、封印シール６０６を、ベース部材１３１とカバー部材１３２とに跨るように貼り付けるようにしている。
【００７５】
４．２．１．１  ベース部材
ベース部材１３１は、その形態を特に限定されないが、本実施態様においては、図５に示すように、前面視矩形状を為す後壁部１３１ａと、後壁部１３１ａの左縁部及び右縁部の付近からそれぞれ前側に突出して設けられた左右一対の案内壁部１３１ｂ，１３１ｃ等とで構成している。既に述べたように、ベース部材１３１には、カバー部材１３２をスライドさせて組み付ける構造となっているところ、案内壁部１３１ｂ，１３１ｃは、ベース部材１３１に対してカバー部材１３２をスライドさせる際のガイドとして機能する部分となっている。また、これらの案内壁部１３１ｂ，１３１ｃの間に位置する空間が、制御基板３００を収容するための基板収容部として利用されるようになっている。
【００７６】
このベース部材１３１には、第二係合部４０２と第三係合部４０３とを設けている。これらの第二係合部４０２及び第三係合部４０３は、それぞれ、カバー部材１３２の後面側における、第二係合部４０２及び第三係合部４０３に重なる箇所に設けられた第二被係合部（図示省略）及び第三被係合部（図示省略）に係合するための部分となっている。第二係合部４０２と第二被係合部は、上記の「Ｆカシメ」を行うための部分（Ｆカシメ部）となっており、第三係合部４０３と第三被係合部は、下記の「Ａカシメ」を行うための部分（Ａカシメ部）となっている。
【００７７】
ここで、「Ａカシメ」とは、遊技機が製造工場から出荷されてから、遊技機の検査機関が基板ケース１００（本実施態様では基板ケース１００の回動ケース１３０）を開封して制御基板３００を検査するまでの間、基板ケース１００の内部の制御基板３００に不正改造等が施されないように、基板ケース１００を封止する（基板ケース１００が不正に開封された際にはその痕跡が残るようにする）ために、遊技機の製造工場等においてカバー部材１３２とベース部材１３１とを係合させることを云う。本明細書においては、基板ケースに１００おけるＡカシメが施される部分を「Ａカシメ部」と呼んでいる。
【００７８】
ベース部材１３１におけるどの箇所に第二係合部４０２や第三係合部４０３を設けるかは、特に限定されないが、通常、基板収容部以外の箇所（案内壁部１３１ｂ，１３１ｃよりも外側の領域）に設けられる。本実施態様においても、図５に示すように、ベース部材１３１における、左側の案内壁部１３１ｂよりも外側に位置する部分と、右側の案内壁部１３１ｃよりも外側に位置する部分とに、第二係合部４０２と第三係合部４０３とを設けている。Ａカシメ部として機能する第三係合部４０３については、両側に１つずつ計２箇所に設けている。第二係合部４０２や第三係合部４０３の形態は、特に限定されないが、本実施態様においては、後述する第一係合部４０１（図６（ｂ））と同様、それぞれの係合部を、４本のフックピンで構成している。
【００７９】
第二係合部４０２や第三係合部４０３を設ける向きは、特に限定されないが、ベース部材１３１に対してカバー部材１３２を組み付ける際にスライドさせる方向に応じて設定すると好ましい。本実施態様においては、既に述べたように、ベース部材１３１に対してカバー部材１３２を組み付ける際には、ベース部材１３１に対してカバー部材１３２を下向きにスライドさせるようにしているため、第二係合部４０２と第三係合部４０３は、その係合方向が上向きとなるように設けている。これにより、ベース部材１３１に対してカバー部材１３２をスライドさせると、第二係合部４０２及び第三係合部４０３が、それぞれ第二被係合部及び第三被係合部に対して自動的に係合するようになり、ＦカシメやＡカシメを容易に行うことが可能となっている。
【００８０】
また、基板ケース１００に支軸部１４１，１４３を設けていることについては、既に述べた通りである。この支軸部１４１，１４３は、カバー部材１３２に設けることもできるが、本実施態様においては、図５に示すように、ベース部材１３１に設けている。支軸部１４１，１４３を設ける位置は、回動ケース１３０を展開可能とする箇所であれば特に限定されない。例えば、支軸部１４１，１４３をベース部材１３１の左縁部（又は右縁部）の上部及び下部にそれぞれ設けると、回動ケース１３０は、その左縁近傍（又は右縁近傍）を回動中心として、その右端部（又は左端部）を前方に展開させることができるようになり、支軸部１４１，１４３をベース部材１３１の上縁部（又は下縁部）の左端部及び右端部にそれぞれ設けると、回動ケース１３０は、その上縁近傍（又は下縁近傍）を回動中心として、その右端部（又は左端部）を前方に展開させることができるようになる。本実施態様においては、ベース部材１３１の下縁部における左端部及び右端部に、支軸部１４１，１４３を逆向きに設けている。
【００８１】
このように、第一固定ケース１１０及び第二固定ケース１２０に対する回動ケース１３０の軸支機構を、支軸部１４１，１４３及び軸受部１４２，１４４に係るものとすることによって、回動ケース１３０の不正な取り外しを目的として、第一固定ケース１１０又は第二固定ケース１２０に対する回動ケース１３０の連結部分（軸支部分）を切断しようとしたときには、支軸部１４１，１４３と軸受部１４２，１４４との双方を切断する必要が生じる。したがって、当該連結部分を綺麗に切断しにくくし、その連結部分に切断痕や接着痕が目立つ状態で残りやすくすることが可能になる。したがって、回動ケース１３０の不正な取り外しをさらに防止することができる。
【００８２】
さらに、図１４及び図１５に示すように、支軸部１４１には、回動規制用凹部１４１ａ（又は回動規制用凸部）を設け、軸受部１４２に回動規制用凸部１４２ａ（又は回動規制用凹部）を設けることや、同様の構成を支軸部１４３で採用することができることについても、既に述べた通りである。回動ケース１３０が保持位置（図１４）から展開位置（図１５）まで移動する際の回動角度（以下においては、この回動角度を「回動ケース１３０の展開角度」と呼ぶことがある。）は、これらの回動規制用凹部と回動規制用凸部との形状や寸法を変更することによって、適宜変更することができる。
【００８３】
回動ケース１３０の展開角度をどの程度に設定するかは、特に限定されないが、小さくしすぎると、回動ケース１３０を展開位置まで回動させても、回動ケース１３０の裏面側を確認しにくくなる虞がある。このため、回動ケース１３０の展開角度は、６０°以上とすると好ましい。回動ケース１３０の展開角度は、７０°以上とするとより好ましく、８０°以上とするとさらに好ましい。一方、回動ケース１３０の展開角度を大きくしすぎると、回動ケース１３０の回動範囲が大きくなり、余分な回動範囲（本実施態様においては、図１７に示す回動ケース１３０の下側領域）に、他の部材等を配置しにくくなる。このため、回動ケース１３０の展開角度は、１２０°以下とすると好ましい。回動ケース１３０の展開角度は、１１０°以下とするとより好ましく、１００°以下とするとさらに好ましい。本実施態様において、回動ケース１３０の展開角度は、９０°に設定している。
【００８４】
また、既に述べたように、回動ケース１３０には、支軸部１４１，１４３の外周部を囲うように鍔部１４５，１４６（図５）を設けている。この鍔部１４５，１４６は、ケースホルダ２００に設けられた鍔止め部２０１，２０２（図９）に押し当てられることで、ケースホルダ２００からの回動ケース１３０の取り外しを規制する取り外し規制手段として機能する部分となっている。
【００８５】
４．２．１．２  カバー部材
カバー部材１３２は、その形態を特に限定されないが、本実施態様においては、図５に示すように、前面視矩形状を為す前壁部１３２ａと、前壁部１３２ａの左縁部及び右縁部の付近からそれぞれ後側に突出して設けられた左右一対の側壁部１３２ｂ，１３２ｃと、
前壁部１３２ａの上縁部から後側に突出して設けられた上壁部１３２ｄと、前壁部１３２ａの下縁部から後側に突出して設けられた下壁部１３２ｅ等とで構成している。
【００８６】
カバー部材１３２の前壁部１３２ａの後面側には、制御基板３００がネジ等の固定具を介して固定される。制御基板３００には、ＣＰＵやＲＯＭ等の各種電子部品が実装されるが、これらの電子部品の実装面側がカバー部材１３２側（前側）を向く状態で制御基板３００を取り付けると好ましい。これにより、制御基板３００に実装された電子部品に異常がないかを、回動ケース１３０（基板ケース１００）の前面側から確認することが可能になる。また、既に述べたように、カバー部材１３２は、その後側に制御基板３００が取り付けられた状態で、ベース部材１３１に組み付けられるため、制御基板３００における電子部品の実装面が後側を向いていると、カバー部材１３２をベース部材１３２に対して組み付ける際に、制御基板３００の電子部品がベース部材１３１に干渉等する虞があるところ、制御基板３００における電子部品の実装面を前側に向けておくことによって、そのような不具合を防止することも可能になる。
【００８７】
既に述べたように、ベース部材１３１には、Ｆカシメ用係合部として機能する第二係合部４０２と、Ａカシメ用係合部として機能する第三係合部４０３とを設けているところ、カバー部材１３２における、第二係合部４０２と第三係合部４０３とに重なる箇所には、それぞれ、Ｆカシメ用被係合部として機能する第二被係合部と、Ａカシメ用被係合部として機能する第三被係合部とを設けている。具体的には、図５のカバー部材１３２における、矢印Ｆで示した箇所の裏側に、第二被係合部（Ｆカシメ用被係合部）を設け、矢印Ａで示した箇所の裏側に、第三被係合部（Ａカシメ用被係合部）を設けている。
【００８８】
ただし、第二被係合部（Ｆカシメ用被係合部）は、図５に示す状態においては、同図の矢印Ｆに示す箇所には設けられていない。第二被係合部（Ｆカシメ用被係合部）は、図６（ａ）に示す第一固定ケース１１０の保持位置用係止部１１２を第一固定ケース１１０の本体部から切り離し、この保持位置用係止部１１２を、図５に示すカバー部材１３２における、第三被係合部（Ｆカシメ用被係合部）の近傍に設けた第二被係合部嵌込部１３２ｆに嵌め込むことによって、図５の矢印Ｆで示される箇所の裏側に設けられるようになっている。これにより、第一固定ケース１１０の前方の空間を、第二被係合部（Ｆカシメ用被係合部）の仮置き位置としても有効に利用することが可能となっている。
【００８９】
２．２．２  固定ケース（第一固定ケース及び第二固定ケース）
固定ケース１１０，１２０は、ケースホルダ２００に対して動かない状態で固定される部分となっている。本実施態様においては、固定ケース１１０，１２０を、回動ケース１３０の一側（右側）に配される第一固定ケース１１０と、回動ケース１３０の他側（左側）に配される第二固定ケース１２０とで構成している。第一固定ケース１１０は、回動ケース１３０を右側から軸支するものとなっており、第二固定ケース１２０は、回動ケース１３０を左側から軸支するものとなっている。このように、回動ケース１３０を両側から軸支することにより、回動ケース１３０を安定した状態で回動させることができる。
【００９０】
既に述べたように、第一固定ケース１１０には、軸受部１４２（図６（ｂ））が設けられ、第二固定ケース１２０には、軸受部１４４（図７（ａ））が設けられている。固定ケース１１０，１２０のうち、第二固定ケース１２０は、必須の部材ではない。第二固定ケース１２０は、ケースホルダ２００の前面側に設けた開環状のクリップ部（Ｃ字状の弾性クリップであって、その切れ目部分から内部に軸支部を圧入できるもの）等で代用することも可能である。
【００９１】
第一固定ケース１１０の内部には、ケースホルダ２００に対して基板ケース１００を係合させるための第一係合部及び第一被係合部のうち、いずれか一方（ケースホルダ２００側に設けたものとは別の方）が設けられる。本実施態様においては、上述したように、第一被係合部５０１をケースホルダ２００側に設けたため、第一固定ケース１１０には、第一係合部４０１を左向き（係合方向が左向きとなるよう）に設けている。
【００９２】
既に述べたように、ケースホルダ２００側の第一被係合部５０１は、Ｂカシメ用被係合部及びＣカシメ用被係合部として機能するようになっていたところ、第一固定ケース１１０側の第一係合部４０１は、Ｂカシメ用係合部として機能するものと、Ｃカシメ用係合部として機能するものとを、その係合方向に非平行な方向（本実施態様においては、係合方向に略垂直な方向）に並列に設けている。すなわち、図１２（ａ），（ｂ）における上側の第一係合部４０１がＢカシメ用係合部として機能するようになっており、下側の第一係合部４０１がＣカシメ用係合部として機能するようになっている。
【００９３】
それぞれの第一係合部４０１は、単純な形態（例えば、１本のフックピンのみで構成される形態）としてもよい。しかし、本実施態様においては、上下方向（ｚ軸方向）に２段で、前後方向（ｙ軸方向）に２段で配した計４本のフックピンでそれぞれの第一係合部４０１を構成している。このように、第一係合部４０１を複雑な形態とすることで、破壊や白化等の塑性変形を伴わない状態では、第一係合部４０１を第一被係合部５０１（図１２）から解除しにくいものとすることができ、不正に解除されたときに破壊痕や白化痕等の痕跡が残りやすいものとすることが可能になる。それぞれの第一係合部４０１は、第一ケース１１０の後面部で支持されるところ、当該後面部における、第一係合部４０１の支持箇所には、薄肉に形成された脆弱部４０４（図６（ｂ））も設けている。このため、第一係合部４０１を不正に解除しようとすると、この脆弱部４０４にも、破壊痕や白化痕等の痕跡が残るようになっている。
【００９４】
また、第一固定ケース１２０には、第一固定ケース１１０の本体部に対して分離可能に形成された分離可能部が設けられており、この分離可能部が、上述した保持位置用係止部１１２及び第二被係合部（Ｆカシメ用被係合部）として機能するようになっている。この分離可能部（保持位置用係止部１１２）を第二被係合部（Ｆカシメ用被係合部）として用いる場合には、その分離可能部（保持位置用係止部１１２）を第一固定ケース１１０の本体部からニッパー等を用いて切り離し、カバー部材１３２の第二被係合部嵌込部１１２ｆ（図５）に嵌め込んだ状態とする。この分離可能部（保持位置用係止部１１２）は、第二係合部（Ｆカシメ用係合部）とすることもできる。この場合には、図５のベース部材１３１に設けた第二係合部４０２（Ｆカシメ用係合部）は、第二被係合部（Ｆカシメ用被係合部）とする。
【符号の説明】
【００９５】
１０      回胴式遊技機
１０ａ    筺体本体
１０ａ１  背板
１０ｂ    前扉
１０ｂ１  リール窓
１１      メダル投入口
１２      メダル払出口
１３      第一リール（リール）
１４      第二リール（リール）
１５      第三リール（リール）
１６      液晶ディスプレイ
１７      スピーカー
１８      マックスベットボタン
１９      シングルベットボタン
２０      スタートレバー
２１      第一ストップボタン（ストップボタン）
２２      第二ストップボタン（ストップボタン）
２３      第三ストップボタン（ストップボタン）
２４      チャンスボタン
２５      払戻しボタン
３０      メイン制御基板ユニット
３１      サブ制御基板ユニット
３２      液晶ユニット
３３      電源ユニット
３４      コネクタユニット
３５      リールユニット
３６      ホッパーユニット
１００      基板ケース
１１０      第一固定ケース（固定ケース）
１１１      固定部材挿通部
１１２      保持位置用係止部
１１２ｆ    第二被係合部嵌込部
１２０      第二固定ケース（固定ケース）
１２１      固定部材挿通部
１３０      回動ケース
１３１      ベース部材
１３１ａ    後壁部
１３１ｂ    案内壁部
１３１ｃ    案内壁部
１３２      カバー部材
１３２ａ    前壁部
１３２ｂ    側壁部
１３２ｃ    側壁部
１３２ｄ    上壁部
１３２ｅ    下壁部
１３２ｆ    第二被係合部嵌込部
１４１      支軸部
１４１ａ    回動規制用凹部
１４２      軸受部
１４２ａ    回動規制用凸部
１４３      支軸部
１４４      軸受部
１４５      鍔部（スライド規制用当接部）（取り外し規制手段）
１４６      鍔部（スライド規制用当接部）（取り外し規制手段）
２００      ケースホルダ
２０１      鍔止め部（スライド規制用被当接部）（取り外し規制手段）
２０２      鍔止め部（スライド規制用被当接部）（取り外し規制手段）
３００      制御基板
４０１      第一係合部（Ｂカシメ用係合部、Ｃカシメ用係合部、Ｄカシメ用係合部又はＥカシメ用係合部）（痕跡発生手段）
４０２      第二係合部（Ｆカシメ用係合部）（痕跡発生手段）
４０３      第三係合部（Ａカシメ用係合部）
４０４      脆弱部
５０１      第一被係合部（Ｂカシメ用被係合部、Ｃカシメ用被係合部、Ｄカシメ用被係合部又はＥカシメ用被係合部）
５０１ａ    被係合用可動体
５０１ｂ    可動体保持部
６０１      封印部材（キャップ状の封印部材）（痕跡発生手段）
６０２      封印部材（シール状の封印部材）（痕跡発生手段）
６０３      封印部材（キャップ状の封印部材）（痕跡発生手段）
６０４      封印部材（シール状の封印部材）（痕跡発生手段）
６０５      記録シール
６０６      封印シール
７００      サブ通信接続基板ユニット
【図１】
2018175758.tif 000003
【図２】
2018175758.tif 000004
【図３】
2018175758.tif 000005
【図４】
2018175758.tif 000006
【図５】
2018175758.tif 000007
【図６】
2018175758.tif 000008
【図７】
2018175758.tif 000009
【図８】
2018175758.tif 000010
【図９】
2018175758.tif 000011
【図１０】
2018175758.tif 000012
【図１１】
2018175758.tif 000013
【図１２】
2018175758.tif 000014
【図１３】
2018175758.tif 000015
【図１４】
2018175758.tif 000016
【図１５】
2018175758.tif 000017
【図１６】
2018175758.tif 000018